(57)【要約】【課題】遊技機島の美観を高めることができる遊技機島の上部構造を提供する。【解決手段】遊技機１を設置する遊技機島１０の上部構造において、遊技機１を収納するものであって、前面および背面側が開口した直方体形状の枠型に形成されたケース枠３０と、ケース枠３０の外壁面を装飾するためのケース枠装飾部材５０を備える。ケース枠３０には、持つための取手である開口部３１２が設けられ、開口部３１２には、ケース枠装飾部材５０を取り付ける取付手段である差込部３１４が設けられている。【選択図】図１
2018126577.tif 000002
【特許請求の範囲】
【請求項１】
遊技機を設置する遊技機島の上部構造において、
前記遊技機を収納するケース枠と、
前記ケース枠を装飾するためのケース枠装飾部材と、を備え、
前記ケース枠には、持つための取手が設けられ、
前記取手には、前記ケース枠装飾部材を取り付ける取付手段が設けられていることを特徴とする遊技機島の上部構造。
【発明の詳細な説明】
【技術分野】
【０００１】
本発明は、遊技機を設置するための遊技機島の上部構造に関し、特に遊技機を１台単位で設置可能ないわゆる単体島に関する。
【背景技術】
【０００２】
従来、遊技機島に遊技機を設置するには、遊技機島における設置箇所に外枠ケースを取り付け、外枠ケースの前面側の開口内部に着脱自在に内枠ケースを取り付け、内枠ケースの前面側の開口内部に遊技機を収納し、遊技機を他の機種に交換する際には、遊技機を内枠ケースから取り外した後、内枠ケースも外枠ケースから取り外し、新たに交換する他の遊技機に対応した規格の内枠ケース（パチンコ機からスロットマシン、スロットマシンからパチンコ機）を外枠ケースに取り付けた後、内枠ケースの内部に他の遊技機を収納していた（特許文献１、段落００７６〜００７８参照）。
【０００３】
また、別のタイプの遊技機島としては、ネジ穴に止め付けるボルトからなる位置調整手段によって、パチンコ機やスロットマシンが取り付けられる上部フレームと下部フレームを上下に移動させることにより、パチンコ機からスロットマシンへ、またスロットマシンからパチンコ機へと交換する際の高さを調整して交換していた（特許文献２、段落００１４、００７３参照）。ここで位置調整手段による高さ調整は、上下に並ぶ位置調整孔に対する固定ボルトの固定箇所の変更によって行われる。
【先行技術文献】
【特許文献】
【０００４】
【特許文献１】特開２０１３−１３７０９号公報
【特許文献２】特許第３０１８２３９号公報
【発明の概要】
【発明が解決しようとする課題】
【０００５】
本発明は、前述した従来技術の有する問題を解決するためになされたものであり、ケース枠を装飾することで遊技機島の美観を高めることができ、また、容易に装飾することができる遊技機島の上部構造を提供することを目的とする。
【課題を解決するための手段】
【０００６】
前述した目的を達成するための本発明の要旨とするところは、以下の項の発明に存する。
［１］遊技機（１）を設置する遊技機島（１０）の上部構造において、
前記遊技機（１）を収納するケース枠（３０）と、
前記ケース枠（３０）を装飾するためのケース枠装飾部材（５０）と、を備え、
前記ケース枠（３０）には、持つための取手（３１２）が設けられ、
前記取手（３１２）には、前記ケース枠装飾部材（５０）を取り付ける取付手段（３１４）が設けられていることを特徴とする遊技機島（１０）の上部構造。
【０００７】
前記本発明は次のように作用する。  
前記［１］に記載の遊技機島（１０）の上部構造によれば、遊技機（１）を収納するケース枠（３０）と、前記ケース枠（３０）を装飾するためのケース枠装飾部材（５０）を備える。ケース枠（３０）には、持つための取手（３１２）があり、取手（３１２）には、ケース枠装飾部材（５０）を取り付ける取付手段（３１４）があり、ケース枠装飾部材（５０）をケース枠（３０）に対して容易に取り付けることができる。このように、ケース枠装飾部材（５０）によって、ケース枠（３０）を装飾することで、遊技機島（１０）の美観を高めることができる。
【発明の効果】
【０００８】
本発明に係る遊技機島の上部構造によれば、ケース枠の側面を装飾することで遊技機島の美観を高めることができ、また、容易に装飾することができる。
【図面の簡単な説明】
【０００９】
【図１】遊技機島に遊技機を設置した状態を示す正面図である。
【図２】遊技機島を示す正面図である。
【図３】遊技機島を示す斜視図である。
【図４】遊技機島を示す縦断面図である。
【図５】遊技機島を示す分解斜視図である。
【図６】ベース台のベース部材を拡大して示す、上方から見た斜視図（ａ）、側面図（ｂ）、下方から見た斜視図（ｃ）である。
【図７】ベース台のガイドベース部材を下方から見た斜視図である。
【図８】ベース台の組み立て状態を示す、上方から見た斜視図（ａ）、側面図（ｂ）、下方から見た斜視図（ｃ）である。
【図９】ベース台のベース部材をさらに拡大して示す、側面図（ａ）、部分正面図（ｂ）である。
【図１０】ベース台のガイドベース部材の作用に関する説明図である。
【図１１】２種類の遊技機に共通する遊技機島の下部の組み立て過程を示す一連の斜視図である。
【図１２】パチンコ機である遊技機の遊技機島の上部の組み立て過程を示す一連の斜視図である。
【図１３】図１２の続きの組み立て過程を示す一連の斜視図である。
【図１４】スロットマシンである遊技機の遊技機島の上部の組み立て過程を示す一連の斜視図である。
【図１５】図１４の続きの組み立て過程を示す一連の斜視図である。
【図１６】ケース枠と側面装飾パネルの組み合わせ前の状態を示す斜視図である。
【図１７】側面装飾パネルを拡大して示す側面図（ａ）、縦方向に切断した斜視図（ｂ）、縦断面図（ｃ）である。
【図１８】遊技機島の変形例を示す分解斜視図である。
【図１９】遊技機島の変形例を示す分解斜視図である。
【図２０】遊技機島の変形例を示す斜視図である。
【図２１】遊技機島の変形例の要部を拡大して示す斜視図である。
【図２２】遊技機島の別の変形例の要部を拡大して示す斜視図である。
【図２３】遊技機島のまた別の変形例の要部を拡大して示す斜視図である。
【図２４】天板を備えた遊技機島の変形例を示す分解斜視図である。
【図２５】天板を備えた遊技機島の変形例を示す斜視図である。
【図２６】遊技機島のさらに別の変形例を示す分解斜視図である。
【図２７】遊技機島のさらに別の変形例を示す斜視図である。
【発明を実施するための形態】
【００１０】
以下、図面に基づき、本発明を代表する実施の形態を説明する。 
本実施の形態に係る遊技機島１０は、複数種類の遊技機１Ａ，１Ｂを択一的に設置することができるものである。以下、何れかの遊技機１Ａ，１Ｂを１台単位で設置し組み立てる単体島を例に説明するが、単体島に限定されることなく、２台あるいは３台以上の複数の遊技機１Ａ，１Ｂを設置する遊技機島であっても良い。なお、各遊技機１Ａ，１Ｂを総称する際には遊技機１と表記する。また、遊技機島１０に関しても総称する他、遊技機１Ａを設置した場合は遊技機島１０Ａ、遊技機１Ｂを設置した場合は遊技機島１０Ｂと適宜区別する。
【００１１】
図１は、遊技機島１０に遊技機１を設置した状態を示す正面図である。図２は、遊技機島１０を示す正面図であり、図３は、遊技機島１０を示す斜視図であり、図４は、遊技機島１０を示す縦断面図である。また、図５は、遊技機島１０を示す分解斜視図である。各図において、（ａ）は、遊技機１Ａがパチンコ機の遊技機島１０Ａであり、（ｂ）は、遊技機１Ｂがスロットマシンの遊技機島１０Ｂを示している。なお、本実施の形態では、遊技機１Ａ，１Ｂの種類として、パチンコ機とスロットマシンの２種類を示すが、この２種類だけに限定されるものではない。
【００１２】
図１〜図５に示すように、遊技機島１０は、フロア面に載置するベース台１１と、該ベース台１１上に立設される支柱２０と、該支柱２０によって支持され、外径寸法の異なる複数種類の遊技機１Ａ，１Ｂを収納可能なケース枠３０と、を備えて成る。遊技機島１０内には、遊技機１の他、遊技機１で使用する遊技媒体を研磨したり循環させるための揚送装置（図示せず）等の遊技設備機器が設置される。かかる遊技機島１０は、遊技媒体を循環して繰り返し使用することにより独立して構成される単体島である。
【００１３】
図１（ａ）において、遊技機１Ａは、遊技媒体として遊技球を使用して遊技を行うパチンコ機である。この遊技機１Ａの正面には、遊技盤２の他、遊技球を遊技盤２上に打ち出すハンドル３、打ち出す遊技球を貯留する上受け皿４、上受け皿４から溢れ出た遊技球を受ける下受け皿５等が設けられている。かかるパチンコ機である遊技機１Ａは、次述する遊技機１Ｂとは外径寸法が異なり、特にハンドル３は機体の低い位置に設定されている。
【００１４】
図１（ｂ）において、遊技機１Ｂは、遊技媒体としてメダルを使用して遊技を行うスロットマシンである。この遊技機１Ｂの正面には、回転する各リール６の他、各リール６を回転させるためのスタートレバー９や、各リール６の回転を停止させるストップボタン７、メダルを貯留する受け皿８等が設けられている。かかるスロットマシンである遊技機１Ｂは、前述の遊技機１Ａとは外径寸法が異なり、特にスタートレバー９やストップボタン７の位置は機体の中央に設定されている。
【００１５】
図４，図５に示すように、ベース台１１は、複数のベース部材１１０と、各ベース部材１１０を互いに離して配置した状態に位置決めして連結するガイドベース部材１２０と、により構成されている。図６は、ベース部材１１０を拡大して示す、上方から見た斜視図（ａ）、側面図（ｂ）、下方から見た斜視図（ｃ）である。図７は、ガイドベース部材１２０を下方から見た斜視図である。図８は、ベース台１１の組み立て状態を示す、上方から見た斜視図（ａ）、側面図（ｂ）、下方から見た斜視図（ｃ）である。図９は、ベース部材１１０をさらに拡大して示す、側面図（ａ）、部分正面図（ｂ）である。なお、図１０は、ガイドベース部材１２０の作用に関する説明図である。
【００１６】
図６に示すように、ベース部材１１０は、本実施の形態では左右平行に離隔して配置されるように一対用意され、それぞれフロア面と接地するベース本体１１１と、該ベース本体１１１上に立設され、前記支柱２０を起立させた状態で下端側を支持する支柱支持部１１２と、により構成されている。ベース本体１１１は、細幅の金属板から形成され、金属板の四辺を下方に向けて垂直に折り曲げて厚みを出した部材から成る。
【００１７】
ベース本体１１１のやや後端寄りの位置には、前後一対に並ぶ支柱支持部１１２が一体に立設されている。各支柱支持部１１２の間には、ガイドベース部材１２０を覆い被せた状態で固定可能な固定手段であるネジ１２３の取付孔１１１ａが穿設されている。
支柱支持部１１２は、図示した多角形断面の筒状に形成された金属製の部材であり、その内部に後述する支柱２０の下端側を嵌合させる。支柱支持部１１２の側壁には、嵌合させた支柱２０を起立させた状態で下端側を固定可能な固定手段であるネジ１１３が取り付けられている。
【００１８】
図７，図８に示すように、ガイドベース部材１２０は、前記ベース部材１１０の材質（金属）に比して軽量の材質である紙類により平板状に形成されている。ここで紙類とは、詳しくは後述するが積層段ボールや強化段ボールが適している。ガイドベース部材１２０は、四隅が丸みを帯びた略矩形状に形成され、前端部の中央部分が内側に向かって凹むように切り欠かれている。そして、ガイドベース部材１２０の両側端部に沿って、前記各ベース部材１１０が配置される。
【００１９】
すなわち、ガイドベース部材１２０の両側端部には、前記支柱支持部１１２に合致する位置に、該支柱支持部１１２を上方に貫通させる支持部貫通孔１２１が設けられている。各支持部貫通孔１２１は、支柱支持部１１２の多角形断面に合致する形状に設けられている。この支持部貫通孔１２１に前記支柱支持部１１２を貫通させて各ベース部材１１０を位置決めし、ベース本体１１１上に覆い被せた状態でガイドベース部材１２０は取り付けられる。ガイドベース部材１２０の両側端縁において、前後の支持部貫通孔１２１の間には前記取付孔１１１ａに合致する取付孔１２２が穿設されている。この取付孔１２２には、下方に重なるベース部材１１０に対して固定可能な固定手段であるネジ１２３が取り付けられる。
【００２０】
ガイドベース部材１２０の両側端部の底面側には、前記ベース本体１１１が高さ方向に嵌合して当該位置に導く凹部１２４が設けられている。この凹部１２４によって、ベース部材１１０上にガイドベース部材１２０を覆い被せた際に、ガイドベース部材１２０の底面とフロア面との隙間が、ベース本体１１１の高さ寸法以下に抑えるように設定されている。ベース本体１１１が凹部１２４に嵌合することで、図９に示すように、ベース本体１１１の最下端はガイドベース部材１２０の底面より下方に僅かな高さ分だけ露出する。これにより、フロア面に直接対接するのはベース本体１１１となり、上方に設置される遊技機１Ａ，１Ｂを収納可能なケース枠３０等の荷重をガイドベース部材１２０に与えることなくフロア面に逃がすことになる。なお、ガイドベース部材１２０の底面もフロア面に近接した状態となる。
【００２１】
また、ガイドベース部材１２０は、ベース台１１に取り付けて装飾するベース台装飾部材を兼ねている。ガイドベース部材１２０は、前述したように紙類から平板状に形成されるものであり、容易に印刷等により模様や色彩を付加して所望のデザインとすることができる。なお、本実施例では、ガイドベース部材１２０自体をベース台装飾部材を兼ねるように構成したが、ベース台１１と同形状のベース台装飾部材を別体として用意し、後からガイドベース部材１２０に貼り付けるようにしても良い。
【００２２】
さらに、ベース台１１のうちガイドベース部材１２０上には、遊技機島１０全体を安定させるための錘１３０が設置される。錘１３０は、相当の重量を有する物であれば何でも良いが、具体的には例えば、立方体状のポリタンクの内部に遊技媒体である遊技球、あるいは水や砂等を充填したものを用いると良い。この錘１３０には、錘装飾部材１４０が囲むように取り付けられている。図５に示すように、錘装飾部材１４０は、錘１３０の前後を覆う前面壁１４１，後面壁１４２と、錘１３０の上方を覆う上面壁１４３から成る。なお、錘１３０の両側は、後述する支柱２０に取り付ける支柱装飾部材２２０によって覆われることになる。
【００２３】
前面壁１４１と後面壁１４２は、それぞれ紙類から同じ矩形の平板状に形成され、上面壁１４３も、紙類から矩形の平板状に形成されている。前面壁１４１と後面壁１４２には、前記ガイドベース部材１２０や後述の支柱装飾部材２２０に取り付けるための取付手段が設けられている。この取付手段は、各面壁１４１，１４２の両側縁および下端縁に設けられた差込部１４４，１４５と、前記ガイドベース部材１２０および支柱装飾部材２２０に設けられた受け部１２５，２２４（図１１（ｄ）参照）から成る。具体的には例えば、各差込部１４４，１４５は所定幅に延びた舌片状の突起であり、各受け部１２５，２２４は、前記各差込部１４４，１４５が嵌合する細溝から成るが、相互に嵌合して取り付け可能な構成であれば何でも良い。
【００２４】
同様に上面壁１４３には、支柱装飾部材２２０に取り付けるための取付手段が設けられている。この取付手段は、上面壁１４３の両側縁に設けられた差込部１４６と、支柱装飾部材２２０の下部装飾部材２２３の上端縁に設けられた受け部２２５から成る。具体的には例えば、差込部１４６は所定幅に延びた舌片状の突起であり、受け部２２５は、前記差込部１４６が嵌合する細溝から成るが、相互に嵌合して取り付け可能な構成であれば何でも良い。なお、前面壁１４１、後面壁１４２、それに上面壁１４３には、それぞれ印刷等により容易に模様や色彩を付加して所望のデザインとすることができ、また、予め複数種類のものを用意しておき、適宜取り替えるようにしても良い。
【００２５】
図４，図５に示すように、支柱２０は、前記ベース台１１上に立設され、ケース枠３０を設置する第一設置部２０１を有する肢部２００と、該肢部２００の上側に連結可能であり、ケース枠３０を設置する第二設置部２１１を有する位置調整部材２１０と、により構成されている。２種類の遊技機１Ａ，１Ｂ毎に、肢部２００や位置調整部材２１０に対してケース枠３０や天板４０を組み合わせる相対的な位置が異なっている。なお、後述する天板４０は、本実施の形態ではケース枠３０とは別体として構成したが、ケース枠３０の底面側の一部として構成しても良く、この場合は天板４０は不要となる。
【００２６】
図１１は、２種類の遊技機１Ａ，１Ｂに共通する遊技機島１０の下部の組み立て過程を示す一連の斜視図である。図１２，図１３は、パチンコ機である遊技機１Ａの遊技機島１０Ａの上部の組み立て過程を示す一連の斜視図である。また、図１４，図１５は、スロットマシンである遊技機１Ｂの遊技機島１０Ｂの上部の組み立て過程を示す一連の斜視図である。遊技機島１０に遊技機１を設置する上で、支柱２０の組み立ての違いが重要となっている。
【００２７】
図４，図５，図１１に示すように、肢部２００は、合成樹脂等の剛性を備えた材質より形成された丸棒ないし丸パイプから成る。この肢部２００の下端側が、前記ベース本体１１１の支柱支持部１１２に内嵌して支柱２０全体が起立した状態となり、さらにネジ１１３で固定される。肢部２００の長さは、遊技機１のうち高い位置に設置する遊技機１Ａ（パチンコ機）の支持高さに合わせて設定され、その途中に前記第一設置部２０１が外周より全周方向に突出する段状に設けられている。この第一設置部２０１の高さ位置は、遊技機１のうち低い位置に設置する遊技機１Ｂ（スロットマシン）の支持高さに合わせて設定されている。
【００２８】
前記肢部２００と共に支柱２０を構成する位置調整部材２１０も、合成樹脂等の剛性を備えた材質より形成され、前記肢部２００に外嵌する丸パイプから成る。位置調整部材２１０は、肢部２００に外嵌させた時に、下端が第一設置部２０１上に支持され、上端は肢部２００の上端より少し低い位置となる長さに設定されている。この位置調整部材２１０の上端が肢部２００の上端側の外周より全周方向に突出することで、ケース枠３０を設置する前記第二設置部２１１となっている。
【００２９】
すなわち、遊技機１Ａ（パチンコ機）を設置する場合は、図１２に示すように、位置調整部材２１０を肢部２００の第一設置部２０１上に連結し、該位置調整部材２１０の第二設置部２１１に天板４０とケース枠３０を重ねて設置して、位置調整部材２１０やケース枠３０等を肢部２００に対して固定する。一方、遊技機１Ｂ（スロットマシン）を設置する場合は、図１４に示すように、先ず肢部２００の第一設置部２０１に天板４０とケース枠３０を重ねて設置し、該第一設置部２０１より上方に延びる肢部２００の上側より位置調整部材２１０を連結して、該位置調整部材２１０およびケース枠３０等を肢部２００に対して固定する。
【００３０】
肢部２００に対する位置調整部材２１０等の固定は、肢部２００の上側に対して固定可能な固定手段であるナット２１３で行う。肢部２００の上端側には、ナット２１３が螺合する雄ネジ部２０２が形成されている。遊技機１Ａを設置する場合における位置調整部材２１０上の天板４０とケース枠３０の底面板３００より上方に、または遊技機１Ｂを設置する場合における天板４０とケース枠３０の底面板３００上の位置調整部材２１０より上方に、それぞれ延出した肢部２００の雄ネジ部２０２に前記ナット２１３を固定することで、該ナット２１３より下方の天板４０とケース枠３０の底面板３００および位置調整部材２１０を互いに重なる状態に固定することができる。
【００３１】
また、図４，図５に示すように、支柱２０には、これを装飾するための支柱装飾部材２２０が取り付けられている。支柱装飾部材２２０は、上部装飾部材２２１と、下部装飾部材２２３とから構成されている。上部装飾部材２２１は、矩形断面の筒状の部材から成り、その全長における一端寄りの位置には下部装飾部材２２３に設置するための下部装飾部材設置部２２２が設けられている。この下部装飾部材設置部２２２は、上部装飾部材２２１の外壁面より全周に亘り突出する段状に設けられている。
【００３２】
下部装飾部材２２３は、前記上部装飾部材２２１がその一端または他端より下部装飾部材設置部２２２がある位置まで内嵌する矩形断面の筒状の部材から成る。下部装飾部材２２３の一側面壁には、前述した錘装飾部材１４０の前面壁１４１，後面壁１４２にある差込部１４４，１４５を嵌め込むための細溝状の受け部２２４が設けられている。また、下部装飾部材２２３の一側面壁の上端縁には、前述した錘装飾部材１４０の上面壁１４３にある差込部１４６を嵌め込むための細溝状の受け部２２５が設けられている。
【００３３】
遊技機１Ａ（パチンコ機）を設置する場合、上部装飾部材２２１は、下部装飾部材２２３に対して下部装飾部材設置部２２２がある一端を下方にして内嵌させて、該下部装飾部材設置部２２２より他端側が下部装飾部材２２３の上端より上方に大きく延出する状態に組み合わされる（図１２（ｂ）参照）。一方、遊技機１Ｂ（スロットマシン）の場合、上部装飾部材２２１は、下部装飾部材２２３に対して他端を下方にして内嵌させて、前記下部装飾部材設置部２２２より他端側が下部装飾部材２２３の内部下方に埋没する状態に組み合わされる（図１４（ａ）参照）。
【００３４】
下部装飾部材２２３には、前記ガイドベース部材１２０上に取り付けるための取付手段も設けられている。この取付手段は、下部装飾部材２２３の一側面壁の下端縁に設けられた差込部２２６と、前記ガイドベース部材１２０に設けられた受け部１２６（図１１（ｂ）参照）から成る。具体的には例えば、各差込部２２６は所定幅に延びた舌片状の突起であり、各受け部１２６は、前記各差込部２２６が嵌合する細溝から成るが、相互に嵌合して取り付け可能な構成であれば何でも良い。
【００３５】
上部装飾部材２２１および下部装飾部材２２３も紙類から形成すると良い。上部装飾部材２２１および下部装飾部材２２３にも、それぞれ印刷等により容易に模様や色彩を付加して所望のデザインとすることができ、また、予め複数種類のものを用意しておき、適宜取り替えるようにしても良い。このような支柱装飾部材２２０は、前記支柱２０を囲むように取り付けられるものであり、直接大きな荷重がかかることはなく、剛性もさほど必要ではない。
【００３６】
また、本実施例に係る遊技機島１０は、図５に示すように、ケース枠３０の底面側より前方に延出する天板４０を備えている。天板４０は、ケース枠３０の底面側に重ねた状態で、前記肢部２００の第一設置部２０１および位置調整部材２１０の第二設置部２１１にそれぞれ設置可能である。
【００３７】
天板４０は、積層段ボールや強化段ボール等の紙類により図示した形状の平板状に形成されている。天板４０の両側部には、前記支柱支持部１１２と上下方向に重なる位置で、前記支柱２０が嵌合する支柱貫通孔４１が設けられている。また、天板４０の後端寄り略中央には、遊技設備機器等を挿通させる開口部４２が設けられている。なお、天板４０は複数種類有り、適宜取り替え可能となっている。
【００３８】
図５に示すように、ケース枠３０は、その前面および背面側が開口した直方体形状の枠型に形成されており、底面板３００、両側面板３１０，３１０、および上面板３２０を組み合わせて成る。ケース枠３０の内部空間は、複数種類ある遊技機１の様々な外形寸法のものを収納し得る大きさに設定されている。これらの各面板３００，３１０，３２０は、相当な強度が必要であるため、紙類ではなく木材を加工した板材から図示した形状に加工することが望ましい。
【００３９】
底面板３００には、前記天板４０に重ね合わせた際に開口部４２と合致して開口する開口部３０１が設けられている。また、底面板３００には、前記天板４０の各支柱貫通孔４１と上下方向に合致する位置に、前記支柱２０の上端側が嵌合する支柱貫通孔３０２が設けられている。
【００４０】
両側面板３１０，３１０には、それぞれ縦方向上部の位置に開口部３１１が設けられている。この開口部３１１は、ケース枠３０を持ち運ぶ際の取手となる。また、両側面板３１０，３１０の縦方向中央部より下側の位置にも開口部３１２が設けられている。この開口部３１２は、前記開口部３１１より縦方向に大きく開口しており、ケース枠３０に遊技機１を設置した状態にてケース枠３０を設置する際の取手となる。さらに、上面板３２０にも、開口部３２１が設けられている。ケース枠３０における各開口部３０１，３１１，３１２，３２１によって、ケース枠３０全体の重量増加を抑えることもできる。
【００４１】
図５に示すように、ケース枠３０には、各面板３００，３１０，３２０の外壁面を装飾するためのケース枠装飾部材５０が取り付けられている。ケース枠装飾部材５０は、側面板３１０に取り付ける側面装飾パネル５００と、ケース枠３０の背面開口を塞ぐ背面装飾パネル５１０、上面板３２０の上側に取り付ける上部装飾パネル５２０とから構成されている。これら各装飾パネル５００，５１０，５２０は、何れも紙類から板状に形成されており、また、遊技機１の種類等に応じて複数種類用意され、適宜取り替え可能となっている。
【００４２】
図１６は、ケース枠３０と側面装飾パネル５００の組み合わせ前の状態を示す斜視図であり、図１７は、側面装飾パネル５００を拡大して示す側面図（ａ）、縦方向に切断した斜視図（ｂ）、縦断面図（ｃ）である。側面装飾パネル５００は、縦長に延びる平板状に形成されており、その後端縁は前記ケース枠３０の側面板３１０の後端縁に合致して上下方向に直線状に延びている。
【００４３】
側面装飾パネル５００の長さは、その下端縁を前記側面板３１０の下端縁に合致させた際に、側面板３１０の上端縁よりさらに上方に所定の高さ分だけ延出する寸法に設定されている。また、側面装飾パネル５００の幅は、その後端縁を前記側面板３１０の後端縁に合致させた際に、側面板３１０の前端縁より前方に少し延出する寸法に設定されている。側面装飾パネル５００の内面壁には、側面板３１０の大きさ形状ないし厚さに合致した凹部５０１が形成されている。
【００４４】
側面装飾パネル５００には、ケース枠３０の側面板３１０に取り付けるための取付手段が設けられている。この取付手段は、前記側面板３１０に設けられた差込部３１３，３１４と、側面装飾パネル５００に設けられた受け部５０２，５０３から成る。一方の差込部３１３は、前記側面板３１０の一端辺より立ち上がるように設けられている。詳しく言えば、差込部３１３は、側面板３１０の上端縁より、外壁面と平行な縦方向に一体に立ち上がるように設けられている。
【００４５】
一方の受け部５０２は、側面装飾パネル５００の内壁側にて、前記差込部３１３に対応する位置に設けられている。詳しく言えば、受け部５０２は、前記凹部５０１の上端縁より下方に延出し、凹部５０１の内面壁と平行に対向する状態で一体に垂下している。この受け部５０２を前記差込部３１３に対して上方から差し込むことで、側面装飾パネル５００を側面板３１０に取り付けることができる。
【００４６】
他方の差込部３１４は、前記側面板３１０にある開口部３１２の内周下縁部より立ち上がるように設けられている。詳しく言えば、差込部３１４は、開口部３１２の内周下縁部より、外壁面と平行な縦方向に一体に立ち上がるように設けられている。他方の受け部５０３は、側面装飾パネル５００の内壁側にて、前記差込部３１４に対応する位置に設けられている。詳しく言えば、受け部５０３は、前記凹部５０１の下部にて下方に延出し、凹部５０１の内面壁と平行に対向する状態で一体に垂下している。
【００４７】
前記受け部５０２および差込部３１３と同様に、受け部５０３を差込部３１４に対して上方から差し込むことで、側面装飾パネル５００を側面板３１０に取り付けることができる。ここで開口部３１２は縦方向に大きく開口しており、該開口部３１２の内周上縁部と差込部３１４の上端辺の間には、作業者が手（指）を入れた状態で差込部３１４の上端辺に触れることがないような十分な隙間が確保されている。
【００４８】
また、側面板３１０の上端辺に設けた差込部３１３と、これに対応する側面装飾パネル５００の受け部５０２とは、差込部３１３の内側からピン（ダボ）で止めると良い。ここでのピン（ダボ）は側面装飾パネル５００の板厚を貫通しないものとする。差込部３１４と受け部５０３についても同様にピン（ダボ）で止めると良い。なお、本実施の形態では、ケース枠３０の側面板３１０の上端辺に設けた差込部３１３は、前記開口部３１２の内周下縁部に設けた差込部３１４よりも幅広に設定している。
【００４９】
側面板３１０等が段ボールで構成された場合、段ボールは内部に中空部を備えており構造上ネジ溝を加工することができない。仮にネジ止めしようとすると、ネジ溝を備えた部品が別途必要となる上にそれを取り付けるための工程も発生し、コスト面でも作業効率面でも負担が増加するが、差込部３１３と受け部５０２をピンを用いて止めるようにすると、差込部３１３と受け部５０２に穴をあける加工を施すだけで良いため、コスト、作業面での負担を軽減することができる。なお、ピンは木製でも金属製でも構わない。
【００５０】
図１６に示すように、前記ケース枠３０において、底面板３００の後端縁と、両側面板３１０，３１０の後端縁の下部間には、横方向に延びる細幅状の下部補強板３３０が、ケース枠３０の背面開口の下端側の一部を塞ぐ状態で架設されている。さらに、上面板３２０の後端縁と、両側面板３１０，３１０の後端縁の上部間にも、横方向に延びる細幅状の上部補強板３４０が、ケース枠３０の背面開口の上端側の一部を塞ぐ状態で架設されている。
【００５１】
図５に示すケース枠装飾部材５０の背面装飾パネル５１０は、下部補強板３３０および上部補強板３４０に取り付けられる。背面装飾パネル５１０は、ケース枠３０の背面開口を塞ぐように縦長に延びる平板状に形成されており、その両側端縁は前記ケース枠３０の両側面板３１０，３１０の後端縁間に合致して上下方向に直線状に延びている。背面装飾パネル５１０の長さは、その下端縁を各側面板３１０の下端縁に合致させた際に、各側面板３１０の上端縁よりさらに上方に所定の高さ分だけ延出する寸法に設定されている。
【００５２】
図１６、図５に示すように、背面装飾パネル５１０には、ケース枠３０の背面開口を塞ぐように取り付けるための取付手段が設けられている。この取付手段は、下部補強板３３０および上部補強板３４０に設けられた差込部３３１，３４１と、背面装飾パネル５１０に設けられた受け部５１１，５１２から成る。一方の差込部３３１は、下部補強板３３０の上端縁がそのまま差込部３３１となっている。
【００５３】
一方の受け部５１１は、背面装飾パネル５１０の内面壁にて、前記差込部３３１に対応する位置に設けられている。詳しく言えば、受け部５１１は、前記背面装飾パネル５１０の下部にて下方に延出し、背面装飾パネル５１０の内面壁と平行に対向する状態で一体に垂下している。この受け部５１１を前記差込部３３１に対して上方から差し込むことで、背面装飾パネル５１０の下部を下部補強板３３０に取り付けることができる。
【００５４】
他方の差込部３４１は、上部補強板３４０の上端縁より立ち上がるように設けられている。詳しく言えば、差込部３４１は、上部補強板３４０の上端縁の中央部より、差込部３４１の外壁面と平行な縦方向に一体に立ち上がるように設けられている。他方の受け部５１２は、背面装飾パネル５１０の内壁側にて、前記差込部３４１に対応する位置に設けられている。詳しく言えば、受け部５１２は、背面装飾パネル５１０の内面壁の上部にて下方に延出し、背面装飾パネル５１０の内面壁と平行に対向する状態で一体に垂下している。
【００５５】
図５に示すように、上部装飾パネル５２０は、両側面装飾パネル５００の上端縁と背面装飾パネル５１０の上端縁に取り付けられる天井部５２１と、該天井部５２１の前端縁より下方に垂下し、前記上面板３２０の前端縁と、この上方に位置する両側面装飾パネル５００の前端縁の上部間に取り付けられる幕板部５２２とから成る。この上部装飾パネル５２０によって囲まれた上面板３２０上の空間内には、遊技設備機器等を収納することができるようになっている。なお、幕板部５２２は、天井部５２１の前端縁に開閉可能に連結するように構成しても良い。
【００５６】
次に、遊技機島１０の作用について説明する。
遊技機島１０を組み立てつつ遊技機１を設置する場合、先ず何れの遊技機１Ａ，１Ｂにも共通する土台の部分を組み立てる。図１１（ａ）に示すように、共通のベース台１１を構成する一対のベース部材１１０，１１０を互いに平行に離隔させてフロア面に設置する。この時、各ベース部材１１０をアンカー等によりフロア面に固定しても良い。同図（ｂ）では、各ベース部材１１０に対してガイドベース部材１２０を上から被せるように装着する。
【００５７】
ガイドベース部材１２０には、ベース部材１１０の支柱支持部１１２を貫通させる支持部貫通孔１２１が設けられており、該支持部貫通孔１２１に支柱支持部１１２を貫通させて各ベース部材１１０を位置決めし、ベース本体１１１上に覆い被せた状態で、ネジ１２３によって固定する。各ベース部材１１０は、互いに離れて配置されるが、ガイドベース部材１２０によって当該位置に位置決めされて連結される。
【００５８】
このようなベース台１１によれば、ベース部材１１０が最下層に備わり、支柱２０を含む上部側の荷重全てを受け支えることで、フロア面と直接接触しているベース部材１１０により、荷重をフロア面へと逃がすことになり、他の部材に対して負荷がかからない。よって、主としてベース部材１１０だけを剛性の高い金属により構成すれば、十分な強度を保持することができる。
【００５９】
ガイドベース部材１２０は、前記ベース部材１１０の材質に比して軽量の紙類で形成されるため、重量増加を招くことはない。このガイドベース部材１２０は、各ベース部材１１０を隠蔽するだけでなく、組み立ての際に各ベース部材１１０を所定の配置に位置決めする。また、組み立て後においては、各ガイド部材に対して、遊技機１や遊技設備機器、揚送装置等からの振動等により余計な荷重がかかっても、ガイドベース部材１２０によって各ベース部材１１０が個々に移動することを防止することができる。
【００６０】
ここで仮に、各ベース部材１１０だけでガイドベース部材１２０を備えない構成であれば、図１０（ａ）に示したように、ベース部材１１０が内側に入り込むように移動してしまい、ベース台１１上に支持した支柱２０が倒れる虞がある。また、図示省略したが、各ベース部材１１０が外側に開いたり、あるいは前後に移動する虞もある。また、図１０（ｂ）に示したように、一方（図中では右側）のベース部材１１０が持ち上がった場合、他方（図中では左側）のベース部材１１０に荷重が集中し、その重みで他方のベース部材１１０が内側へ逃げて行くので、遊技機島１０が倒れる虞がある。本遊技機島１０におけるベース台１１によれば、このような問題を全て解消することができる。
【００６１】
また、図８（ｃ）に示すように、ガイドベース部材１２０の底面側には、ベース部材１１０のベース本体１１１が高さ方向に嵌合して当該位置に導く凹部１２４がある。この凹部１２４により、ベース部材１１０上にガイドベース部材１２０を覆い被せた際、ガイドベース部材１２０の底面とフロア面との隙間を、ベース本体１１１の高さ寸法以下に、好ましくは僅かな高さだけに抑えることができる。
【００６２】
これにより、ベース部材１１０上にガイドベース部材１２０を覆い被せる際に、相互の位置ずれを防止することができ、各ベース部材１１０を所定の配置一定間隔および平行へと導くことができる。また、図９に示すように、ガイドベース部材１２０を覆い被せた際、フロア面と大きく離れないように、ベース本体１１１の高さ厚み分を相殺することができ、美観を損ねることがないと共に、フロア面との間にごみ等が入りやすい大きな隙間が生じることを防ぐことができる。
【００６３】
さらに、ガイドベース部材１２０は紙類から形成されており、ベース台１１においてなおさら軽量化が可能となり、遊技機島１０全体の重量増加を防止することができ、配置変更や他の場所でのイベント時において移動が容易となる。また、印刷による装飾が容易となり、装飾に関する自由度が向上する。また、遊技機１の入替時に不必要になったガイドベース部材１２０の廃棄が容易である。本実施の形態では、ガイドベース部材１２０自体がベース台装飾部材を兼ねており、遊技客に対して目立たない位置においても装飾することにより、遊技店や遊技機１のコンセプトにあった装飾が可能となる。後述する天板４０やケース枠装飾部材５０についても、紙類から形成した効果については同様である。
【００６４】
次いで、図１１（ｃ）に示すように、ガイドベース部材１２０より上方に突出した各支柱支持部１１２に、それぞれ支柱２０の肢部２００の下端を差し込み、肢部２００を起立させた状態でネジ１１３によって固定する。ここで、各肢部２００は、それぞれ途中にある第一設置部２０１が中間より上側となる位置に揃えて立設する。
【００６５】
続いて、図１１（ｄ）に示すように、肢部２００の下半部を隠蔽するための支柱装飾部材２２０の下部装飾部材２２３を、左右で前後に２本ずつ並ぶ肢部２００を囲むようにガイドベース部材１２０上に取り付ける。ここで下部装飾部材２２３の一側面壁の下端縁には、取付手段である差込部２２６があり、この差込部２２６をガイドベース部材１２０の対応する箇所にある受け部１２６に嵌め込むようにして、容易に取り付けることができる。
【００６６】
そして、図１１（ｅ）に示すように、ガイドベース部材１２０上に錘１３０を設置する。この錘１３０により、遊技機島１０全体を軽量化したとしても、遊技機島１０を安定した状態でフロア上に設置することができる。続いて図１１（ｆ）に示すように、錘１３０を隠蔽するための錘装飾部材１４０を、錘１３０を囲むようにガイドベース部材１２０上に取り付ける。
【００６７】
すなわち、図５において、先ず錘装飾部材１４０の前面壁１４１と後面壁１４２を、それぞれ錘１３０の前後位置に取り付ける。ここで各面壁１４１，１４２の下端縁には、取付手段である差込部１４５があり、これらをガイドベース部材１２０の対応する箇所にある受け部１２５に嵌め込む。
【００６８】
また、各面壁１４１，１４２の両側縁にも、取付手段である差込部１４４があり、これを前記下部装飾部材２２３の対応する箇所にある受け部２２４に嵌め込むようにして、容易に取り付けることができる。そして最後に、上面壁１４３を各面壁１４１，１４２の上端縁間を塞ぐように取り付ける。ここで上面壁１４３の両側縁にも、取付手段である差込部１４６があり、これらを両側の下部装飾部材２２３の上端縁にある受け部２２５に嵌め込むようにして、容易に取り付けることができる。
【００６９】
このような錘装飾部材１４０によって、錘１３０を隠すことができると共に、その周囲も含めて遊技店や遊技機１のコンセプトにあった装飾が可能となる。錘装飾部材１４０は、前記ガイドベース部材１２０と同様に紙類から成形されるため、印刷による装飾が容易となり、装飾に関する自由度が向上する。
以上、図１１に示した過程が、何れの遊技機１Ａ，１Ｂにも共通する遊技機島１０の土台の部分の組み立て方である。
【００７０】
なお、錘１３０に関しては、前記下部装飾部材２２３のみで隠蔽できるように、下部装飾部材２２３の内側に収まる大きさ形状のものを設置しても良い。例えば、支柱２０自体の肢部２００が錘として機能するように、該肢部２００を鉄等の十分な重量を有する材質で構成しても良い。また、錘１３０の設置忘れを防止するために、例えばガイドベース部材１２０上の予め定めた設置位置（図１１（ｄ）における各受け部１２５の内側等）に、錘１３０の設置位置であることを文字や記号等により示すようにしても良い。
【００７１】
次に、図１２、図１３に示す遊技機１Ａ（パチンコ機）に対応した遊技機島１０Ａの上部の組み立て過程について説明する。かかるパチンコ機である遊技機１Ａは、次述する遊技機１Ｂとは外径寸法が異なり、特に操作するハンドル３が低い位置にあるため、前記遊技機１Ｂ（スロットマシン）と比べて高い位置に設置することが必要となる。よって、図１２（ａ）に示すように、前記各肢部２００の上端より位置調整部材２１０を外嵌させて、該位置調整部材２１０を肢部２００の途中にある第一設置部２０１上に当接させて連結する。
【００７２】
続いて、図１２（ｂ）に示すように、肢部２００の上半部と位置調整部材２１０を隠蔽するための支柱装飾部材２２０の上部装飾部材２２１を、既にガイドベース部材１２０上に取り付けてある下部装飾部材２２３の上端開口に嵌め込むように取り付ける。ここで上部装飾部材２２１は、下部装飾部材２２３に対して下部装飾部材設置部２２２がある一端を下方にして内嵌させて、該下部装飾部材設置部２２２より他端側が下部装飾部材２２３の上端より上方に大きく延出する状態に組み合わせる。
【００７３】
次に、図１２（ｃ）に示すように、各上部装飾部材２２１上に天板４０を取り付ける。天板４０はデザインの異なるものを複数種類用意しておき、適宜取り替え可能にすると良い。ここで天板４０は、玉箱等の遊具を載置するだけでなく、装飾的な効果も奏するものであり、取り替え可能とすることで、遊技店や遊技機１のコンセプトにあった装飾が可能となる。なお、天板４０は、ケース枠３０の底面側の一部として構成しても良い。
【００７４】
天板４０を取り付けるには、前記上部装飾部材２２１の上端より上方に各肢部２００の上端が延出しており、これに天板４０にある各支柱貫通孔４１を嵌合させる。ここで天板４０は、支柱貫通孔４１の内周縁が前記位置調整部材２１０の上端である第二設置部２１１に当接することで、当該位置に設置されることになる。
さらに、図１２（ｄ）に示すように、前記天板４０上にケース枠３０を設置する。ここで天板４０の上面より各肢部２００の上端が上方に突出しており、各肢部２００の上端をケース枠３０の底面板３００にある各支柱貫通孔３０２に嵌合させる。
【００７５】
このとき、支柱装飾部材２２０の上部装飾部材２２１の上端と、位置調整部材２１０の上端にある第二設置部２１１の位置は、それぞれほぼ同じ高さ位置となるように設定されている。よって、天板４０は、その底面が第二設置部２１１のみならず、上部装飾部材２２１の上端とも当接することになり、天板４０よりも上部の構造の荷重は、第二設置部２１１および上部装飾部材２２１に分散されて、より強固かつガタつかないように支持されることになる。
【００７６】
このように、支柱２０の上端を、天板４０およびケース枠３０の底面板３００にある各支柱貫通孔４１，３０２に嵌合させた状態で、図１３（ｅ）に示すように、ナット２１３を支柱２０の上端である肢部２００の雄ネジ部２０２に螺合させる。すると、ナット２１３と前記第二設置部２１１の間に、天板４０およびケース枠３０の底面板３００を挟持した状態に固定できる。このようにナット２１３を固定手段とすることで、簡易な構成により特別な工具も用いることなく、確実かつ強固に固定することができる。
【００７７】
次いで、図１３（ｆ）に示すように、ケース枠３０の背面側にケース枠装飾部材５０の背面装飾パネル５１０を取り付ける。すなわち、背面装飾パネル５１０の内面壁の上下にある受け部５１１，５１２を、ケース枠３０の背面側にある下部補強板３３０および上部補強板３４０にある差込部３３１，３４１に上方から差し込むことにより、背面装飾パネル５１０をケース枠３０に対して容易に取り付けることができる。
【００７８】
また、図１３（ｇ）に示すように、ケース枠３０の両側面板３１０，３１０に対して側面装飾パネル５００を取り付ける。すなわち、側面装飾パネル５００の内面壁の上下にある受け部５０２，５０３を、側面板３１０にある差込部３１３，３１４に上方から差し込むことにより、側面装飾パネル５００を側面板３１０に対して容易に取り付けることができる。
【００７９】
このような側面装飾パネル５００や背面装飾パネル５１０の取付手段によれば、特別な工具やネジ等を使用しなくても、側面装飾パネル５００や背面装飾パネル５１０がケース枠３０から容易に外れたり落下しないように取り付けることができる。仮に、取付手段が横から差し込むように取り付ける構成であると、人がぶつかったとき等の衝撃に対する取付強度が脆弱なため、直ぐに外れてしまう虞があるが、上から差し込む構成としたことで、側方からの衝撃に対する取付強度を強化することができる。
【００８０】
特に、側面装飾パネル５００や背面装飾パネル５１０の上方の部位を、それぞれケース枠３０の側面板３１０等の上端に上方から差し込んで取り付けるようにしたので、人がぶつかったとき等の衝撃に対する取付強度を強化することに加えて、取付手段が人の目線よりも上にあるため、故意に取り外そうとする行為も防止することができる。
【００８１】
また、何れの取付手段の差込部３１３，３１４，３３１，３４１も、それぞれケース枠３０の一部として一体に形成されるので、部品点数を少なくすることができ、作業工程のミスも極力防止することができる。さらに、何れの差込部３１３等も立ち上がるような形状に設けたので、それぞれの取り付け位置がわかりやすく作業工程でのミスを防止できるため、作業効率を向上させることができる。
【００８２】
ケース枠３０の複数箇所にて側面装飾パネル５００や背面装飾パネル５１０が支持されるので、取付強度をよりいっそう強化することができる。また、側面板３１０の開口部３１２に差込部３１４を設けたことで、側面装飾パネル５００の取付強度を高めると共に、ケース枠３０の軽量化も実現することができる。
【００８３】
また、ケース枠３０の側面板３１０の縦方向中央部より下側に開口部３１２を設けたので、開口部３１２の内周上縁辺を持って無理のない姿勢で、遊技機１が取付済みケース枠３０を設置することができる。ここで開口部３１２の内周上縁部と差込部３１４の上端辺の間には、作業者が手（指）を入れた状態で差込部３１４の上端辺に触れることがないような十分な隙間が確保されているから、作業中のケガを防止でき、また差込部３１４の破損も防止できる。
【００８４】
また、ケース枠３０の側面板３１０の上端辺に設けた差込部３１３は、前記開口部３１２の内周下縁部に設けた差込部３１４よりも幅広とする。これは、側面板３１０の上端辺に設けた差込部３１３の方が、開口部３１２の内周下縁部に設けた差込部３１４よりも幅を取ることができることを利用したものであり、より効果的に側面装飾パネル５００の位置ズレを防止することが可能となる。
【００８５】
さらに、側面装飾パネル５００は、ケース枠３０の差込部３１３に対して上方から差し込むようになっているので、側面装飾パネル５００の下辺に手をかけて遊技機島１０を持ち上げたりすると、側面装飾パネル５００がケース枠３０から外れてしまう虞があるため、側面装飾パネル５００の下端縁には、作業者が手を掛けることができないようになっている。具体的には、図１３（ｇ）等に示すように、側面装飾パネル５００の下端縁を天板４０の上面に隙間なく当接するように設定している。
【００８６】
これにより、作業者は側面装飾パネル５００の下端縁に手を掛けることができず、遊技機島１０を持ち上げるときは天板４０の両端底面に手を掛けて持ち上げて運ぶことになり、側面装飾パネル５００がケース枠３０から外れてしまうことはない。また、天板４０の横幅を、側面装飾パネル５００の取り付け位置より両外側に延出するように広い寸法とすることでも、側面装飾パネル５００の下端縁に手を掛けることができないようにすることができる。なお、側面装飾パネル５００の長さを、その下端縁が前記側面板３１０の下端縁よりさらに下方まで延出して、前記ガイドベース部材１２０（やその上のベース台装飾部材）の上面に下端縁が当接するように形成しても良い。
【００８７】
次いで、図１３（ｈ）に示すように、ケース枠３０の上面板３２０の上方に上部装飾パネル５２０を取り付ける。すなわち、上部装飾パネル５２０の天井部５２１を、両側面装飾パネル５００の上端縁と背面装飾パネル５１０の上端縁に取り付けると共に、該天井部５２１の前端縁より下方に垂下した幕板部５２２は、前記上面板３２０の前端縁に合わさるように取り付ける。この上部装飾パネル５２０によって囲まれた上面板３２０上の空間内には、遊技設備機器等を収納することができる。
【００８８】
以上のように本遊技機島１０によれば、ケース枠３０を囲むように取り付けて装飾するケース枠装飾部材５０や、支柱２０を囲むように取り付けて装飾する支柱装飾部材２２０、それに装飾が容易な紙類から成る前記ガイドベース部材１２０や前記天板４０を備えており、遊技機島１０全体の美観を高めることができる。
【００８９】
ここで、ケース枠装飾部材５０を構成する側面装飾パネル５００や背面装飾パネル５１０、それに上部装飾パネル５２０についても、デザインの異なるものを複数種類用意して、適宜取り替えるようにすると良い。これにより、共用部材であるケース枠３０は何ら替えることなく、ケース枠装飾部材５０を取り替えるだけで、遊技店や遊技機１のコンセプトにあった装飾が可能となる。
【００９０】
次に、図１４、図１５に示す遊技機１Ｂ（スロットマシン）に対応した遊技機島１０Ｂの上部の組み立て過程について説明する。かかる遊技機１Ｂは、前述した遊技機１Ａとは外径寸法が異なり、操作するスタートレバー９やストップボタン７が機体中央の比較的高い位置にあるため、前記遊技機１Ａ（パチンコ機）と比べて低い位置に設置することになる。
【００９１】
よって、図１４（ａ）に示すように、前記各肢部２００に未だ位置調整部材２１０を連結しない状態で、ガイドベース部材１２０上の下部装飾部材２２３に対して上部装飾部材２２１を取り付けるが、ここで上部装飾部材２２１を前記遊技機１Ａの場合とは上下逆向きにする。すなわち、上部装飾部材２２１は、下部装飾部材２２３に対して下部装飾部材設置部２２２がない他端を下方にして内嵌させて、該下部装飾部材設置部２２２より他端側が下部装飾部材２２３の内部下方に埋没した状態に組み合わせる。
【００９２】
次に、図１４（ｂ）に示すように、各上部装飾部材２２１上に天板４０を取り付ける。すなわち、上部装飾部材２２１の上端より大きく上方に延出している各肢部２００に、天板４０にある各支柱貫通孔４１を嵌合させる。ここで天板４０は、支柱貫通孔４１の内周縁が前記肢部２００の途中にある第一設置部２０１に当接することで、当該位置に設置されることになる。
続いて、図１４（ｃ）に示すように、前記天板４０上にケース枠３０を設置する。ここで天板４０の上面より各肢部２００が上方に突出しており、各肢部２００に対してケース枠３０の底面板３００にある各支柱貫通孔３０２に嵌合させる。
【００９３】
このとき、支柱装飾部材２２０の上部装飾部材２２１の上端と、肢部２００の途中にある第一設置部２０１の位置は、それぞれほぼ同じ高さ位置となるように設定されている。よって、天板４０は、その底面が第一設置部２０１のみならず、上部装飾部材２２１の上端とも当接することになり、天板４０よりも上部の構造の荷重は、第一設置部２０１および上部装飾部材２２１に分散されて、より強固かつガタつかないように支持されることになる。
【００９４】
このように、肢部２００を天板４０および底面板３００にある各支柱貫通孔４１，３０２に嵌合させた状態で、図１４（ｄ）に示すように、肢部２００の上端より位置調整部材２１０を外嵌させて取り付ける。そして、図１５（ｅ）に示すように、ナット２１３を前記位置調整部材２１０の上端より突出した肢部２００の雄ネジ部２０２に螺合させる。すると、ナット２１３および位置調整部材２１０と前記第二設置部２１１の間に、天板４０およびケース枠３０の底面板３００を挟持した状態に固定できる。このようにナット２１３を固定手段とすることで、簡易な構成により特別な工具も用いることなく、確実かつ強固に固定することができる。
【００９５】
その後、図１５（ｆ）〜（ｈ）に示すように、ケース枠３０を囲むように、ケース枠装飾部材５０の背面装飾パネル５１０、側面装飾パネル５００、上部装飾パネル５２０を順に取り付ける。かかる工程は、前記遊技機１Ａ（パチンコ機）の場合と同様である（図１３（ｆ）〜（ｈ）参照）。なお、何れの遊技機１Ａ，１Ｂを設置した遊技機島１０Ａ，１０Ｂにおいても、図１に示すように、両側面装飾パネル５００，５００の内側と遊技機１側面との間に生じた隙間は、それぞれ間柱部材５３０で塞ぐことになる。かかる間柱部材５３０も前記ケース枠装飾部材５０等と同様に紙類から形成すると良い。
【００９６】
以上のように本遊技機島１０によれば、異なる種類の遊技機１Ａ，１Ｂを、何れも共用部品であるベース台１１、支柱２０、天板４０、ケース枠３０、それに支柱装飾部材２２０、ケース枠装飾部材５０によって、それぞれ最適な高さ位置に設置するように組み立てることができ、異なる種類の遊技機１Ａ，１Ｂへの交換作業も容易に行うことができる。
【００９７】
また、前記支柱２０やケース枠３０等は共用部品から成るが、異なる種類の遊技機１毎に組み立て手順を異ならせているので、特に遊技機１毎に異なる高さ位置の調整を意識しなくても、手順に従うだけで遊技機島１０の組み立てや遊技機１の設置ないし交換作業を容易かつ迅速に行うことができる。また、設置作業時の作業ミスも未然に防止することができる。
【００９８】
すなわち、前述したように遊技機１Ａ（パチンコ機）を設置する場合は、支柱２０の位置調整部材２１０を肢部２００の第一設置部２０１上に連結し、該位置調整部材２１０の第二設置部２１１にケース枠３０を設置する。これにより、位置調整部材２１０の高さ分だけ、遊技機１Ａを高い位置に設置することができる。
【００９９】
一方、他の遊技機１Ｂ（スロットマシシン）を設置する場合は、ケース枠３０を肢部２００の第一設置部２０１に設置し、該第一設置部２０１より上方に延びる肢部２００の上側より位置調整部材２１０を連結する。これにより、位置調整部材２１０の高さ分に影響されることなく、遊技機１を低い位置に設置することができる。
【０１００】
また、支柱２０に取り付ける支柱装飾部材２２０に関しても、異なる種類の遊技機１Ａ，１Ｂ毎に、下部装飾部材２２３に対する上部装飾部材２２１の取り付け態様を上下逆にするだけで、前記位置調整部材２１０の高さ分の相違に対応することが可能となる。このように、支柱装飾部材２２０も共用部材としたことで、支柱装飾部材２２０の交換作業も容易に行うことができる。
【０１０１】
さらに、前述したように、ベース台１１のガイドベース部材１２０、天板４０、支柱装飾部材２２０、ケース枠装飾部材５０は、それぞれ紙類から成形することにより、装飾部材に対しては印刷による装飾が容易となり、装飾に関する自由度が向上する。また、遊技機１の入替時に不必要になった各部材の廃棄も容易である。さらに、遊技機島１０全体の重量が軽くなるため、配置変更や他の場所でのイベント時において移動も容易である。
【０１０２】
ここで紙類とは、積層段ボールや強化段ボールが適している。積層段ボールは、一般の段ボールを複数枚重ね合わせて積層させたものであり、様々な形状に加工することができると共に十分な強度も備えており、また廃棄する時は原料として再利用することができる。強化段ボールとは、通常の段ボールを二重もしくは三重構造にし、また耐水性を持たせて、高い強度を持つように造られたものである。
【０１０３】
このような紙類であれば、焼却や断裁による速やかな廃棄、それに原料として再利用が可能である。もちろん、段ボールの素材は、純粋な紙類に限定されることなく、プラスチック素材（ポリプロピレンやポリカーボネート等）を用いて形成したものを、本遊技機島１０の素材として使用しても良い。また、段ボール状のものではなく、単に板状（内部に中空部を備えるか否かは問わない。）に成形したものを使用しても良い。さらに、紙類の代わりに軽い材質、例えばコルク材などの木材やアルミニウム材等を使用しても良い。
【０１０４】
次いで、図１８〜図２１は、遊技機島１０の変形例を示している。  
本変形例では、各部材の構成が設計事項の範囲内で多少異なる他、支柱２００Ａの構成が前記支柱２０とは異なっている。なお、前記遊技機島１０と同種の部位については、同一符号を付して重複した説明は省略する。
【０１０５】
支柱２００Ａは、前記支柱２０の肢部２００に相当する部位のみから成り、位置調整部材２１０は備えていない。かかる支柱２００Ａの上端側には、前記第一設置部２０１に相当する設置部２０１Ａが設けられており、その上方が雄ネジ部２０２となっている。ここで設置部２０１Ａは、前記第一設置部２０１と同様に、支柱２００Ａの外壁面より全周に亘り突出する段状に設けられている。
【０１０６】
図２１に拡大して示すように、支柱２００Ａの上端を、ケース枠３０の底面板３００にある各支柱貫通孔３０２に嵌合させた状態で、ナット２１３を支柱２００Ａの上端にある雄ネジ部２０２に螺合させる。この時、底面板３００は、その支柱貫通孔３０２の内周縁が前記支柱２００Ａの設置部２０１Ａに当接することで、当該位置に設置されることになる。
【０１０７】
図２２は、また別の変形例である支柱２００Ｂを示している。  
本変形例では、支柱２００Ｂの上端側を同軸上に延びる細径として、当該細径となる境の段部を、そのまま設置部２０１Ｂとしている。また、細径部分の外周に雄ネジ部２０２が形成されている。
【０１０８】
図２３は、さらに別の変形例である支柱２００Ｃを示している。  
本変形例でも、支柱２００Ｃの上端側を同軸上に延びる細径として、当該細径となる境の段部を、そのまま設置部２０１Ｃとしているが、この細径部分の外周に雄ネジ部２０２ではなく雌ネジ部２０２Ｃを設けている。すなわち、細径部分の上端面より軸心に沿ってネジ孔を形成して雌ネジ部２０２Ｃとしており、この雌ネジ部２０２Ｃにナット２１３ではなく、ボルト２１３Ｃをネジ止めする。
【０１０９】
底面板３００は、前記設置部２０１Ｃとボルト２１３Ｃの頭部との間に挟持され固定される。前述したように、支柱２００Ａ，２００Ｂの上端外周に雄ネジ部２０２を形成した場合、該雄ネジ部２０２は、底面板３００より上方に突出するが、支柱２００Ｃの上端内側に雌ネジ部２０２Ｃを形成した場合、支柱２００Ｃの上端は、底面板３００の底面と同じか、底面より低い位置に止まるように長さを設定すると良い。
【０１１０】
また、図１８〜図２３に示した変形例では、天板４０を備えていないが、図２４および図２５に示すように、変形例にも天板４０を備えるように構成しても良い。
さらに、図２６および図２７に示すように、前記底面板３００における支柱貫通孔３０２の内周縁側に雌ネジ部を形成して、前記支柱２００Ａの上端側に形成した雄ネジ部２０２を直接螺合させるように構成しても良い。
【０１１１】
このように、底面板３００の支柱貫通孔３０２の雌ネジ部に、支柱２００Ａの雄ネジ部２０２を直接螺合させる場合は、ボルトとナットの固定の要領で支柱を回しながら、ケース枠３０と支柱２００Ａが接続される。この場合は、前述のベース部材１１０とガイドベース部材１２０を組むのと同時に、ケース枠３０と支柱２００Ａを組むことになる。すなわち、図２７に示す状態で支柱２００Ａをベース部材１１０に取り付けることになる。
【０１１２】
以上、本発明の実施例を図面によって説明してきたが、具体的な構成はこれらの実施例に限られるものではなく、本発明の要旨を逸脱しない範囲における変更や追加があっても本発明に含まれる。例えば前述した実施例では、遊技機をパチンコ機とスロットマシンの２種類のみ説明したが、他の種類の遊技機に適用してもよく、また、同じ種類の遊技機であっても異なる外形寸法のものに適用することができる。
【０１１３】
また、前記実施例では、ガイドベース部材１２０自体をべース台装飾部材を兼ねるように構成したが、ベース台１１と同形状のべース台装飾部材を別体として用意し、後からガイドベース部材１２０に貼り付けるようにしても良い。さらに、各部材の素材は紙類に限定されることなく、合成樹脂製の板材等と様々な素材から構成しても良い。例えば、前記ケース枠３０の各面板３００，３１０，３２０は、紙類ではなく木材を加工することが望ましいと述べたが、各面板３００，３１０，３２０の一部または全部を段ボール（紙製、樹脂製、アルミニウム製）としても良い。
【０１１４】
さらに、前記実施例では、背面装飾パネル５１０の内面壁の上下にある凹形状の受け部５１１，５１２を、ケース枠３０の背面側にある下部補強板３３０および上部補強板３４０にある凸形状の差込部３３１，３４１に上方から差し込むことにより、背面装飾パネル５１０をケース枠３０に対して取り付けるが、逆の態様として受け部５１１，５１２の形状を凸形状とし、差込部３３１，３４１を凹形状としても良い。
【０１１５】
同様に、側面装飾パネル５００の内面壁の上下にある凹形状の受け部５０２，５０３を、側面板３１０にある凸形状の差込部３１３，３１４に上方から差し込むことにより、側面装飾パネル５００を側面板３１０に対して取り付けるが、逆の態様として受け部５０２，５０３を凸形状とし、差込部３１３，３１４を凹形状としても良い。
【産業上の利用可能性】
【０１１６】
本発明に係る遊技機島の上部構造は、様々な遊技機を設置するための遊技機島に広く適用することができる。
【符号の説明】
【０１１７】
１…遊技機
１０…遊技機島
１１…ベース台
２０…支柱
３０…ケース枠
４０…天板
４１…支柱貫通孔
４２…開口部
５０…ケース枠装飾部材
１１０…ベース部材
１１１…ベース本体
１１２…支柱支持部
１１３…ネジ
１２０…ガイドベース部材
１２１…支持部貫通孔
１２２…取付孔
１２３…ネジ
１２４…凹部
１２６…受け部
１３０…錘
１４０…錘装飾部材
１４１…前面壁
１４２…後面壁
１４３…上面壁
１４４，１４５…差込部
１４６…差込部
２００…肢部
２０１…第一設置部
２０２…雄ネジ部
２１０…位置調整部材
２１１…第二設置部
２１３…ナット
２２０…支柱装飾部材
２２１…上部装飾部材
２２２…下部装飾部材設置部
２２３…下部装飾部材
３００…底面板
３１０…側面板
３２０…上面板
３３０…下部補強板
３４０…上部補強板
５００…側面装飾パネル
５１０…背面装飾パネル
５２０…上部装飾パネル
５３０…間柱部材
【図１】
2018126577.tif 000003
【図２】
2018126577.tif 000004
【図３】
2018126577.tif 000005
【図４】
2018126577.tif 000006
【図５】
2018126577.tif 000007
【図６】
2018126577.tif 000008
【図７】
2018126577.tif 000009
【図８】
2018126577.tif 000010
【図９】
2018126577.tif 000011
【図１０】
2018126577.tif 000012
【図１１】
2018126577.tif 000013
【図１２】
2018126577.tif 000014
【図１３】
2018126577.tif 000015
【図１４】
2018126577.tif 000016
【図１５】
2018126577.tif 000017
【図１６】
2018126577.tif 000018
【図１７】
2018126577.tif 000019
【図１８】
2018126577.tif 000020
【図１９】
2018126577.tif 000021
【図２０】
2018126577.tif 000022
【図２１】
2018126577.tif 000023
【図２２】
2018126577.tif 000024
【図２３】
2018126577.tif 000025
【図２４】
2018126577.tif 000026
【図２５】
2018126577.tif 000027
【図２６】
2018126577.tif 000028
【図２７】
2018126577.tif 000029